(57)【要約】【課題】本発明の主な目的は、不同な表示パネルが不同な画像を同時に表示することができる複数のスクリーンを有する電子装置を提供することにある。【解決手段】上記課題を解決するために本発明では、複数の表示モジュールと複数のフレキシブルプリント基板を含む複数のスクリーンを有する電子装置を提供する。前記複数のフレキシブルプリント基板は、複数の表示モジュールが互いに導電するように一体に連結させる。前記フレキシブルプリント基板により、複数の表示モジュールが環状に連結されているので、表示サイズを大きくすることができる。且つ、各表示モジュールが不同な画像を表示して、不同な画像を同時に表示するか、各々の表示モジュールが１つの画像の局部を表示して、１つの画像を構成して表示することができる。【選択図】図７
2010160489.tif 000002
【特許請求の範囲】
【請求項１】
複数の表示モジュールと、複数の表示モジュールが互いに導電するように一体に連結させる複数のフレキシブルプリント基板と、を含むことを特徴とする複数のスクリーンを有する電子装置。
【請求項２】
前記複数の表示モジュールは、駆動回路が別々に形成されている複数の駆動回路基板と、前記駆動回路と電気接続するように前記駆動回路基板の上に別々に形成される複数の表示パネルと、を含むことを特徴とする請求項１の記載の複数のスクリーンを有する電子装置。
【請求項３】
前記表示パネルがレキシブルディスプレパネルであることを特徴とする請求項２の記載の複数のスクリーンを有する電子装置。
【請求項４】
前記表示パネルが反射式表示パネルであることを特徴とする請求項２の記載の複数のスクリーンを有する電子装置。
【請求項５】
前記表示パネルとして、電気泳動ディスプレイパネル、電気湿潤ディスプレイパネル或いはＭＥＭＳディスプレイパネル（ｍｉｃｒｏ  ｅｌｅｃｔｒｏ  ｍｅｃｈａｎｉｃａｌ  ｓｙｓｔｅｍｓ  ｄｉｓｐｌａｙ  ｐａｎｅｌ）を使うことができることを特徴とする請求項４の記載の複数のスクリーンを有する電子装置。
【請求項６】
前記表示パネルとして、タッチパネルを使うことができることを特徴とする請求項２の記載の複数のスクリーンを有する電子装置。
【請求項７】
前記駆動回路と導電するように前記駆動回路基板に設置される少なくとも１つの無線自動識別（ｒａｄｉｏ  ｆｒｅｑｕｅｎｃｙ  ｉｄｅｎｔｉｆｉｃａｔｉｏｎ、ＲＦＩＤと略称）用チップをさらに含むことを特徴とする請求項２の記載の複数のスクリーンを有する電子装置。
【請求項８】
前記複数のフレキシブルプリント基板により前記複数の表示モジュールが環状に連結されることを特徴とする請求項１の記載の複数のスクリーンを有する電子装置。
【請求項９】
前記表示パネルの数量が前記フレキシブルプリント基板の数量より少ないことを特徴とする請求項１の記載の複数のスクリーンを有する電子装置。
【請求項１０】
フレキシブル基板と、前記フレキシブル基板の上に間隔を置いて並んでいる複数の駆動回路と、をさらに含み、且つ各表示モジュールは、駆動回路と導電するように対応する駆動回路の上に設置される表示パネルであることを特徴とする請求項１の記載の複数のスクリーンを有する電子装置。
【請求項１１】
前記表示モジュールが第一方向に沿って一体に連結されることを特徴とする請求項１の記載の複数のスクリーンを有する電子装置。
【請求項１２】
前記表示モジュールが第二方向に沿って一体に連結されることを特徴とする請求項１１の記載の複数のスクリーンを有する電子装置。
【請求項１３】
前記第一方向と第二方向が垂直することを特徴とする請求項１２の記載の複数のスクリーンを有する電子装置。
【請求項１４】
２つの表示モジュールの間に電気接続され、且つ入力信号を接収する信号接収ユニットと、前記信号接収ユニットに電気接続されて前記入力信号により指令を生じる信号処理ユニットと、前記信号処理ユニットに電気接続されて前記指令により画像信号を形成する画像信号形成ユニットと、前記画像信号形成ユニットに電気接続されて前記画像信号を保存する少なくとも１つのメモリユニットと、前記メモリユニットに電気接続されてメモリユニットに保存される画像信号を対応する前記表示モジュールに伝送する少なくとも１つの信号伝送ユニットと、を具備する制御モジュールをさらに含むことを特徴とする請求項１の記載の複数のスクリーンを有する電子装置。
【請求項１５】
前記制御モジュールは、画像信号を選択する１つの表示モジュールに伝送する変換ユニットをさらに含むことを特徴とする請求項１４の記載の複数のスクリーンを有する電子装置。
【請求項１６】
前記制御モジュールは、前記複数のメモリユニットと前記複数の信号伝送ユニットをさらに含み、且つ各メモリユニットが対応する各信号伝送ユニット電気接続されていることを特徴とする請求項１４の記載の複数のスクリーンを有する電子装置。
【請求項１７】
前記信号接収ユニットが無線信号接収ユニットであることを特徴とする請求項１４の記載の複数のスクリーンを有する電子装置。
【請求項１８】
前記信号接収ユニットが有線信号接収ユニットであることを特徴とする請求項１４の記載の複数のスクリーンを有する電子装置。
【発明の詳細な説明】
【技術分野】
【０００１】
本発明は、電子装置に関し、特に複数のスクリーンを有する電子装置に関する。
【背景技術】
【０００２】
平面表示技術の発展に従って、表示装置が設置された電子装置がだんだん多くなっている。携帯電話（ｍｏｂｉｌｅ  ｐｈｏｎｅ）、イーブック（ｅ−ｂｏｏｋ）、デジタルカメラ（ｄｉｇｉｔａｌ  ｃａｍｅｒａ）、携帯情報端末（ｐｅｒｓｏｎａｌ  ｄｉｇｉｔａｌ  ａｓｓｉｓｔａｎｔ、ＰＤＡと略称）などの携帯型電子装置（ｐｏｒｔａｂｌｅ  ｅｌｅｃｔｒｉｃａｌ  ｄｅｖｉｃｅ）には、ほとんど表示装置が設置されている。今の携帯型電子装置は、薄型化、軽量化に発展しているので、携帯型電子装置に設置される平面表示装置も薄型化、軽量化に設けなければならない。薄型化、軽量化の目的を実現する平面表示装置として、液晶ディスプレイ（ｌｉｑｕｉｄ  ｃｒｙｓｔａｌ  ｄｉｓｐｌａｙ、ＬＣＤ）、有機エレクトロルミネッセンスディスプレイ（Ｏｒｇａｎｉｃ  Ｅｌｅｃｔｒｏ−Ｌｕｍｉｎｅｓｃｅｎｃｅ  ｄｉｓｐｌａｙ、ＯＥＬＤと略称）、電気泳動ディスプレイ（ｅｌｅｃｔｒｏ−ｐｈｏｒｅｔｉｃ  ｄｉｓｐｌａｙ、ＥＰＤ）、電気湿潤ディスプレイ（ｅｌｅｃｔｒｏ−ｗｅｔｔｉｎｇ  ｄｉｓｐｌａｙ  ｐａｎｅｌ、ＥＷＤと略称）などがをつかうことができる。
【０００３】
前記平面表示装置で、前記電気泳動ディスプレイの節電効果がよいので、液晶ディスプレイを代えている。節電効果がよい平面表示装置を使うことにより、電子装置の機能と実用性を拡大するのは、当業者が解決しなければならない課題になっている。
【発明の概要】
【発明が解決しようとする課題】
【０００４】
本発明の主な目的は、不同な表示パネルが不同な画像を同時に表示することができる複数のスクリーンを有する電子装置を提供することにある。
【課題を解決するための手段】
【０００５】
上記課題を解決するために本発明では、複数の表示モジュールと複数のフレキシブルプリント基板を含む複数のスクリーンを有する電子装置を提供する。前記複数のフレキシブルプリント基板は、複数の表示モジュールが互いに導電するように一体に連結させる。
【０００６】
前記複数のスクリーンを有する電子装置において、前記複数の表示モジュールは、駆動回路が別々に形成されている複数の駆動回路基板と、前記駆動回路と電気接続するように前記駆動回路基板の上に別々に形成される複数の表示パネルと、を含む。
【０００７】
前記複数のスクリーンを有する電子装置において、前記表示パネルがフレキシブルディスプレパネルであることできる。
【０００８】
前記複数のスクリーンを有する電子装置において、前記表示パネルが反射式表示パネルであることができる。前記表示パネルとして、電気泳動ディスプレイパネル、電気湿潤ディスプレイパネル或いはＭＥＭＳディスプレイパネル（ｍｉｃｒｏ  ｅｌｅｃｔｒｏ  ｍｅｃｈａｎｉｃａｌ  ｓｙｓｔｅｍｓ  ｄｉｓｐｌａｙ  ｐａｎｅｌ）を使うことができる。
【０００９】
前記複数のスクリーンを有する電子装置において、前記表示パネルとしてタッチパネルを使うことができる。
【００１０】
前記複数のスクリーンを有する電子装置において、前記駆動回路と導電するように前記駆動回路基板に設置される少なくとも１つの無線自動識別（ｒａｄｉｏ  ｆｒｅｑｕｅｎｃｙ  ｉｄｅｎｔｉｆｉｃａｔｉｏｎ、ＲＦＩＤと略称）用チップをさらに含む。
【００１１】
前記複数のスクリーンを有する電子装置において、前記複数のフレキシブルプリント基板により前記複数の表示モジュールが環状に連結される。
【００１２】
前記複数のスクリーンを有する電子装置において、前記表示パネルの数量が前記フレキシブルプリント基板の数量より少ない。
【００１３】
前記複数のスクリーンを有する電子装置において、フレキシブル基板と、前記フレキシブル基板の上に間隔を置いて並んでいる複数の駆動回路と、をさらに含む。各表示モジュールは、駆動回路と導電するように対応する駆動回路の上に設置される表示パネルから構成される。
【００１４】
前記複数のスクリーンを有する電子装置において、前記表示モジュールが第一方向に沿って一体に連結される。他の実施形態で、前記表示モジュールが第二方向に沿って一体に連結される。前記第一方向は、前記第二方向に垂直する。
【００１５】
前記複数のスクリーンを有する電子装置において、２つの表示モジュールの間に電気接続される制御モジュールをさらに含む。前記制御モジュールは、入力信号を接収する信号接収ユニットと、前記信号接収ユニットに電気接続されて前記入力信号により指令を生じる信号処理ユニットと、前記信号処理ユニットに電気接続されて前記指令により画像信号を形成する画像信号形成ユニットと、前記画像信号形成ユニットに電気接続されて前記画像信号を保存する少なくとも１つのメモリユニットと、前記メモリユニットに電気接続されてメモリユニットに保存される画像信号を対応する前記表示モジュールに伝送する少なくとも１つの信号伝送ユニットと、を具備する。
【００１６】
前記複数のスクリーンを有する電子装置において、前記制御モジュールは、画像信号を選択する１つの表示モジュールに伝送する変換ユニットをさらに含む。
【００１７】
前記複数のスクリーンを有する電子装置において、前記制御モジュールは、前記複数のメモリユニットと前記複数の信号伝送ユニットをさらに含む。且つ、各メモリユニットが対応する各信号伝送ユニット電気接続されている。
【００１８】
前記複数のスクリーンを有する電子装置において、前記信号接収ユニットが無線信号接収ユニット或いは有線信号接収ユニットである。
【発明の効果】
【００１９】
上述したように、本発明の複数のスクリーンを有する電子装置は、複数のフレキシブルプリント基板を使って、複数の表示モジュールを環状に連結させるので、表示サイズを大きくすることができる。複数のスクリーンを有する電子装置の各表示モジュールが不同な画像を表示して、不同な画像を同時に表示するか、各々の表示モジュールが１つの画像の局部を表示して、１つの画像を構成して表示することができる。且つ、本発明の複数のスクリーンを有する電子装置は、前記表示モジュールと駆動回路が破損されない前提の下で巻くことができるので、使用範囲を広くすることができる。
【図面の簡単な説明】
【００２０】
【図１】本発明の第一実施形態に係る複数のスクリーンを有する電子装置を示す図である。
【図２】図１の複数のスクリーンを有する電子装置の断面を示す図である。
【図３】表示パネルが設置されない駆動回路基板の上に飾り板が設置されることを示す図である。
【図４】複数の表示モジュールが水平方向に沿って連結されることを示す図である。
【図５】複数の表示モジュールが垂直方向に沿って連結されることを示す図である。
【図６】複数の表示モジュールが水平方向と一定の角度を有する方向に沿って連結されることを示す図である。
【図７】複数の表示モジュールが平面状に連結されることを示す図である。
【図８】本発明の第二実施形態に係る複数のスクリーンを有する電子装置を示す図である。
【図９Ａ】複数のスクリーンを有する電子装置を環状に巻くことを示す図である。
【図９Ｂ】複数のスクリーンを有する電子装置を曲面を有する物体表面に貼ることを示す図である。
【図１０】無線自動識別用チップをさらに含む本発明の複数のスクリーンを有する電子装置を示す断面図である。
【図１１】本発明の第三実施形態に係る複数のスクリーンを有する電子装置を示す図である。
【図１２】複数のスクリーンを有する電子装置に設置される一実施形態の制御モジュールの回路を示す図である。
【図１３】複数のスクリーンを有する電子装置に設置される他の実施形態の制御モジュールの回路を示す図である。
【発明を実施するための形態】
【００２１】
本発明の複数のスクリーンを有する電子装置は、主に複数の表示モジュールと複数のフレキシブルプリント基板（ｆｌｅｘｉｂｌｅ  ｐｒｉｎｔ  ｃｉｒｃｕｉｔ、ＦＰＣと略称）から構成されている。前記複数の表示モジュールは、前記複数のフレキシブルプリント基板により互いに導電するように連結されている。以下、図面を参照しながら本発明の実施形態に係る複数の表示モジュールの連結方式に対して詳しく説明する。
【００２２】
図１は、本発明の第一実施形態に係る複数のスクリーンを有する電子装置を示す図であり、図２は、図１の複数のスクリーンを有する電子装置の断面を示す図である。図１と図２の複数のスクリーンを有する電子装置１００は、複数の表示モジュール１１０と複数のフレキシブルプリント基板１２０を含む。前記表示モジュール１１０は、複数の駆動回路基板１１２と複数の表示パネル１１４を含む。前記駆動回路基板１１２ごとは、１つの駆動回路１１３を含み、前記表示パネル１１４は、前記駆動回路基板１１２と向き合うように駆動回路基板１１２の上に接着されている。前記駆動回路基板１１２の駆動回路１１３は、前記表示パネル１１４を駆動する。前記表示パネル１１４は、ネジ１０２などの固定手段により前記駆動回路基板１１２の上に固定されている。
【００２３】
本発明で、各表示パネル１１４のサイズと形状に対して特定しなく、本技術分野の当業者が実の需要に従って前記表示パネル１１４のサイズと形状を選定することができる。
【００２４】
図１に示す本発明の第一実施形態で、各フレキシブルプリント基板１２０は、２つの表示モジュール１１０の間に電気接続されて、複数の表示モジュール１１０を環状に連結させる。前記表示モジュール１１０が柔軟性を有するので、複数のスクリーンを有する電子装置１００をベルト、ネックレスおよびブレスレット等のアクセサリーに使うことができる。
【００２５】
前記複数のスクリーンを有する電子装置１００で、前記表示パネル１１４の数量を前記駆動回路基板１１２の数量より少なくすることができる。即ち、本発明で駆動回路基板１１２の上ごとに表示パネル１１４を設置しなく、使用者の需要に従って表示パネル１１４の数量を減少することができる。前記表示パネル１１４の数量が前記駆動回路基板１１２の数量より少ない場合、図３に示すように、表示パネル１１４が設置されない駆動回路基板１１２の上に飾り板１３０を設置することができる。前記飾り板１３０は、前記駆動回路基板１１２の駆動回路１１３が露出して破損されるのを防ぐだけでなく、飾り板１３０に形成される図案が複数のスクリーンを有する電子装置１００の外観を飾ることができる。
【００２６】
本発明の表示モジュール１１０を環状に連結させなく、他の方式に連結させてサイズが大きいスクリーンを得ることができる。例えば、複数の表示モジュール１１０を図面に示す第一方向Ｄ１に沿って連結させることができる。前記第一方向Ｄ１は、図４に示すような水平方向、図５に示すような垂直方向、或いは図６に示すような水平方向と一定の角度を有する方向であることができる。または、図７に示すように、前記表示モジュール１１０を第一方向Ｄ１と第二方向Ｄ２に沿って、平面状に連結させることができる。図７で、第一方向Ｄ１が第二方向Ｄ２に垂直するが、他の実施形態で垂直しない他の角度を取ってもよい。
【００２７】
上述したように、前記複数のスクリーンを有する電子装置４００で（図４〜図７を参照なさい）、複数のフレキシブルプリント基板１２０により複数の表示モジュール１１０が連結されるので、サイズが大きいスクリーンを得ることができる。複数のスクリーンを有する電子装置１００で、各々の表示モジュール１１０が不同な画像を表示して、同時に不同な画像を表示するか、各々の表示モジュール１１０が１つの画像の局部を表示して、１つの画像を表示することができる。
【００２８】
前記表示パネル１１４として、バックライトを使わない反射式表示パネルを使うことができる。例えば、フレキシビリティー（ｆｌｅｘｉｂｉｌｉｔｙ）の電気泳動ディスプレイパネル（ｅｌｅｃｔｒｏ−ｐｈｏｒｅｔｉｃ  ｄｉｓｐｌａｙ  ｐａｎｅｌ）、電気湿潤ディスプレイパネル（ｅｌｅｃｔｒｏ−ｗｅｔｔｉｎｇ  ｄｉｓｐｌａｙ  ｐａｎｅｌ）或いは高反射率を有するＭＥＭＳディスプレイパネル（ｍｉｃｒｏ  ｅｌｅｃｔｒｏ  ｍｅｃｈａｎｉｃａｌ  ｓｙｓｔｅｍｓ  ｄｉｓｐｌａｙ  ｐａｎｅｌ、ＭＥＭＳ  ｄｉｓｐｌａｙ  ｐａｎｅｌと略称）を使うことができる。前記複数の表示パネル１１４で、同じな種類の表示パネルを使うか、不同な種類の表示パネルを使うことができる。
【００２９】
図８は、本発明の第二実施形態に係る複数のスクリーンを有する電子装置を示す図である。図８の複数のスクリーンを有する電子装置８００は、複数の表示モジュール８１０と、複数のフレキシブルプリント基板８２０と、１つのフレキシブル基板８３０と、複数の駆動回路８４０と、を含む。前記フレキシブル基板８３０の材料として、金属フィルム或いはプラスチック材料を使うことができる。
【００３０】
本実施形態の各々の表示モジュール８１０は、表示パネルであり、前記複数の駆動回路８４０は、前記フレキシブル基板８３０の上に間隔を置いて並んでいる。前記複数の表示モジュール８１０は、駆動回路８４０と導電するように対応する駆動回路８４０の上に設置されている。前記複数の表示モジュール８１０は、前記フレキシブルプリント基板８２０により互いに導電するように一体に連結されている。
【００３１】
上述したように、前記複数の表示モジュール８１０は、別々に対応する駆動回路８４０の上に電気接続されているので、複数の表示モジュール８１０が前記フレキシブル基板８３０の上に間隔を置いて並んでいるものに見なすことができる。前記フレキシブルプリント基板８２０とフレキシブル基板８３０の柔軟性により、図９Ａに示すように、前記表示モジュール８１０と駆動回路８４０が破損されない前提の下で、前記複数のスクリーンを有する電子装置８００を巻くことができる。従って、本発明の複数のスクリーンを有する電子装置８００を曲面を有する物体に貼ることができる。例えば、図９Ｂに示す円筒物９００の表面に貼ることができるので、使用範囲が広くなる。
【００３２】
当業者が本発明を容易に理解するように、以下本発明の図を参照しながら複数のスクリーンを有する電子装置の作動に対して説明する。
【００３３】
本発明の表示パネルとして、タッチパネル（ｔｏｕｃｈ  ｐａｎｅｌ）を使うことができる。例えば、図２に示す複数のスクリーンを有する電子装置１００の表示パネル１１４がタッチパネルである場合、使用者が直接前記表示パネル１１４で操作することができる。前記駆動回路基板１１２と前記駆動回路１１３は、使用者の操作に従って前記表示パネル１１４を駆動する。
【００３４】
図１０に示すように、本発明の複数のスクリーンを有する電子装置は、前記駆動回路１１３と導電するように前記駆動回路基板１１２に設置される少なくとも１つの無線自動識別（ｒａｄｉｏ  ｆｒｅｑｕｅｎｃｙ  ｉｄｅｎｔｉｆｉｃａｔｉｏｎ、ＲＦＩＤと略称）用チップ１４０をさらに含むことができる。前記駆動回路１１３は、前記無線自動識別用チップ１４０が接収した無線識別信号により前記駆動回路基板１１２に設置される表示パネル１１４を駆動する。従って、前記表示パネル１１４が無線識別信号が含むデータ、例えば残高、身分などを表示することができる。
【００３５】
本発明の複数のスクリーンを有する電子装置のすべての表示モジュールは、１つの制御モジュールで制御することができる。以下、具体的な実施例で説明する。
【００３６】
図１１は、本発明の第三実施形態に係る複数のスクリーンを有する電子装置を示す図である。図１と図１１の複数のスクリーンを有する電子装置が違い所は、図１１の複数のスクリーンを有する電子装置５００が制御モジュール１５０をさらに含むことである。前記制御モジュール１５０は、フレキシブルプリント基板１２０により接近する２つの表示モジュール１１０の間に電気接続されて、前記表示モジュール１１０を駆動する信号を出力する。
【００３７】
上述した実施形態ごとにも、図１１に示す前記制御モジュール１５０を設置し、図１１のように電気接続させることができる。
【００３８】
図１２は、複数のスクリーンを有する電子装置に設置される一実施形態の制御モジュールの回路を示す図である。図１１と図１２で、制御モジュール１５０は、信号接収ユニット１５２と、信号処理ユニット１５４と、画像信号形成ユニット１５６と、少なくとも１つのメモリユニット１５８と、少なくとも１つの信号伝送ユニット１５９と、を含む。前記信号接収ユニット１５２は、使用者がマウス、キーボード、タッチパネル等の入力装置で入力する入力信号を接収する。前記信号接収ユニット１５２が接収する入力信号が外部から伝送して来る入力信号である可能性もある。例えば、前記信号接収ユニット１５２が無線信号接収ユニットから構成されて、無線インターネット、赤外線或いはブルートゥースにより外部から伝送される無線信号を接収することができる。或いは、前記信号接収ユニット１５２が有線信号接収ユニットから構成されて、インターネット線などにより外部から伝送される有線信号を接収することができる。
【００３９】
前記信号処理ユニット１５４は、前記信号接収ユニット１５２に電気接続されて、信号接収ユニット１５２が接収する入力信号により指令を生じる一方、この指令を前記画像信号形成ユニット１５６に出力する。前記画像信号形成ユニット１５６は、前記信号処理ユニット１５４の指令により画像信号を形成する一方、その画像信号を前記画像信号形成ユニット１５６に電気接続されるメモリユニット１５８に保存させる。前記信号伝送ユニット１５９は、前記メモリユニット１５８に保存されている画像信号を対応する前記表示モジュール１１０に伝送する。前記表示モジュール１１０は、前記画像信号により画像を表示する。
【００４０】
本発明の制御モジュール１５０は、ただ１つのメモリユニット１５８で前記画像信号形成ユニット１５６で形成される画像信号を保存する。だから、少なくとも１つの変換ユニット１５７で信号伝送ユニット１５９を対応する表示モジュール１１０に電気接続させ、信号伝送ユニット１５９が接収する画像信号を選択する１つの表示モジュール１１０に伝送する必要がある。即ち、本発明の複数のスクリーンを有する電子装置１００は、複数の表示モジュール１１０が不同な画像を同時に表示するようにすることができる。
【００４１】
他の実施形態で、前記制御モジュールが複数のメモリユニットと複数の信号伝送ユニットを含むことができる。以下、複数のメモリユニットと複数の信号伝送ユニットを含む実施形態に対して説明する。図１３は、複数のスクリーンを有する電子装置に設置される他の実施形態の制御モジュールの回路を示す図である。図１３の制御モジュール７５０と図１２の制御モジュール１５０が違い所は、複数のメモリユニット１５８と複数の信号伝送ユニット１５９を含むことである。前記複数のメモリユニット１５８と前記複数の信号伝送ユニット１５９は、一対一の方式に電気接続され、前記複数の信号伝送ユニット１５９と前記複数の表示モジュール１１０も、一対一の方式に電気接続されている。
【００４２】
上述したように、本発明の複数のスクリーンを有する電子装置は、複数のフレキシブルプリント基板を使って、複数の表示モジュールを環状に連結させるので、表示サイズを大きくすることができる。複数のスクリーンを有する電子装置の各表示モジュールが不同な画像を表示して、不同な画像を同時に表示するか、各々の表示モジュールが１つの画像の局部を表示して、１つの画像を構成して表示することができる。
【００４３】
本発明の複数の表示モジュールを間隔があるように１つのフレキシブルプリント基板に形成して、前記表示モジュールと駆動回路が破損されない前提の下で複数のスクリーンを有する電子装置を巻くことができる。
【００４４】
且つ、複数のフレキシブルプリント基板を使って、柔軟性を有する表示モジュールを環状に連結させることができる。即ち、複数のスクリーンが環状になる電子装置を得ることができるので、複数のスクリーンを有する電子装置の使用範囲を広くすることができる。
【符号の説明】
【００４５】
１００、４００、５００、８００  複数のスクリーンを有する電子装置
１０２  ネジ
１１０、８１０  表示モジュール
１１２  駆動回路基板
１１３、８４０  駆動回路
１１４  表示パネル
１２０、８２０  フレキシブルプリント基板
１３０  飾り板
１４０  無線自動識別用チップ
１５０、７５０  制御モジュール
１５２  信号接収ユニット
１５４  信号処理ユニット
１５６  画像信号形成ユニット
１５７  変換ユニット
１５８  メモリユニット
１５９  信号伝送ユニット
８３０  フレキシブル基板
９００  円筒物
Ｄ１  第一方向
Ｄ２  第二方向
【図１】
2010160489.tif 000003
【図２】
2010160489.tif 000004
【図３】
2010160489.tif 000005
【図４】
2010160489.tif 000006
【図５】
2010160489.tif 000007
【図６】
2010160489.tif 000008
【図７】
2010160489.tif 000009
【図８】
2010160489.tif 000010
【図９Ａ】
2010160489.tif 000011
【図９Ｂ】
2010160489.tif 000012
【図１０】
2010160489.tif 000013
【図１１】
2010160489.tif 000014
【図１２】
2010160489.tif 000015
【図１３】
2010160489.tif 000016
【外国語明細書】
2010160489.tif 000017
2010160489.tif 000018
2010160489.tif 000019
2010160489.tif 000020
2010160489.tif 000021
2010160489.tif 000022
2010160489.tif 000023
2010160489.tif 000024
2010160489.tif 000025
2010160489.tif 000026
2010160489.tif 000027
2010160489.tif 000028
2010160489.tif 000029
2010160489.tif 000030
【図１】
2010160489.tif 000031
【図２】
2010160489.tif 000032
【図３】
2010160489.tif 000033
【図４】
2010160489.tif 000034
【図５】
2010160489.tif 000035
【図６】
2010160489.tif 000036
【図７】
2010160489.tif 000037
【図８】
2010160489.tif 000038
【図９Ａ】
2010160489.tif 000039
【図９Ｂ】
2010160489.tif 000040
【図１０】
2010160489.tif 000041
【図１１】
2010160489.tif 000042
【図１２】
2010160489.tif 000043
【図１３】
2010160489.tif 000044